(57)【要約】  ＬＥＤ照明１は、ＬＥＤ１０と、それぞれ第１端子及び第２端子を有する２つの口金２１及び２２と、ＬＥＤ１０に電力を供給する電力供給回路３０と、口金２１及び２２を介して電力供給回路３０に外部電力を供給するか否かを切換えるスイッチ４０と、スイッチ４０を制御する制御回路５０と、口金２１及び２２を介して制御回路５０に供給される電流値を基準電流値以下に制限する電流制限回路６０と、を含み、制御回路５０は、それぞれの口金２１及び２２において第１端子と第２端子との間がオープン状態かショート状態かを判定する判定処理と、判定処理において、口金２１及び２２のいずれにおいても第１端子と第２端子との間がショート状態であるものと判定した場合に、スイッチ４０をオフ状態からオン状態へと切換える切換え処理と、を行う。
2012070277.tif 000002
【特許請求の範囲】
【請求項１】
ＬＥＤと、
それぞれ第１端子及び第２端子を有する２つの口金と、
前記ＬＥＤに電力を供給する電力供給回路と、
前記口金を介して前記電力供給回路に外部電力を供給するか否かを切換えるスイッチと、
前記スイッチを制御する制御回路と、
前記口金を介して前記制御回路に供給される電流値を基準電流値以下に制限する電流制限回路と、
を含み、
前記制御回路は、
それぞれの前記口金において前記第１端子と前記第２端子との間がオープン状態かショート状態かを判定する判定処理と、
前記判定処理において、前記口金のいずれにおいても前記第１端子と前記第２端子との間がショート状態であるものと判定した場合に、前記スイッチをオフ状態からオン状態へと切換える切換え処理と、
を行う、ＬＥＤ照明。
【請求項２】
請求項１に記載のＬＥＤ照明において、
前記制御回路は、前記切換え処理においては、
前記判定処理において、前記口金のいずれかの前記第１端子と前記第２端子との間がオープン状態であるものと判定した場合に、前記スイッチをオン状態からオフ状態へと切換える、ＬＥＤ照明。
【請求項３】
請求項１又は２に記載のＬＥＤ照明において、
前記制御回路は、
出力端子から電圧信号を出力する信号出力回路と、
一端が前記出力端子と接続される抵抗と、
１次巻線の第１端子が前記抵抗の他端と接続され、２次巻線の第１端子が一方の前記口金の前記第１端子と接続され、２次巻線の第２端子が一方の前記口金の前記第２端子と接続されるトランスと、
前記抵抗と前記トランスとの接続点の電圧を検出する電圧検出回路と、
前記電圧検出回路で検出される電圧に基づいて前記判定処理を行う判定回路と、
を含む、ＬＥＤ照明。
【請求項４】
請求項３に記載のＬＥＤ照明において、
前記トランスの２次巻線の前記第１端子及び前記第２端子の少なくとも一方は、コンデンサーを介して前記口金の前記第１端子又は前記第２端子と接続される、ＬＥＤ照明。
【発明の詳細な説明】
【技術分野】
【０００１】
本発明は、ＬＥＤ（Light Emitting Diode）を光源に使用したＬＥＤ照明に関する。
【背景技術】
【０００２】
近年、環境意識の高まりから、省電力化に優れたＬＥＤを光源に使用したＬＥＤ照明が盛んに用いられるようになってきた。特に最近は、蛍光灯を使用した照明装置においても、蛍光灯の取付けベースをそのままにして、管体のみをＬＥＤ照明に置き換えた直管形ＬＥＤ照明が急速に普及してきている。しかしながら、この直管形ＬＥＤ照明においては、従来の蛍光灯の交換作業と同様に、電源のスイッチをオンした状態で本体を交換する場合がある。このような場合に、外部で商用の交流電圧を低電圧の直流に変換して本体に供給している場合はあまり問題にならないが、商用の交流電圧を直接本体に供給している直管形ＬＥＤ照明の場合は感電するおそれがあった。【０００３】
図５は、従来技術に係る直管形ＬＥＤ照明１０００を説明するための図である。図５に示されるように、直管形ＬＥＤ照明１０００は、照明用のＬＥＤ１００１とＬＥＤ１００１に電力を供給する電源回路１００２を備え、一方の接続端子１００３ａ及び１００３ｂをショートして片側の端子１００３とし、他方の接続端子１００４ａ及び１００４ｂもショートして他方の端子１００４として、それぞれの端子１００３及び１００４から電源回路１００１に接続するものであった。そして、端子１００３がソケット１０５に、端子１００４がソケット１０６にそれぞれ接続され、スイッチ１００８がオン状態とされることによって、交流電圧が交流電源１００７から電源回路１００１に供給される。【０００４】
この直管形ＬＥＤ照明の交換作業において感電が発生する状態を説明する。図５に示されるように、スイッチ１００８をオンしたままで一方の接続端子１００３ａ及び１００３ｂのみをソケット１００５に差し込んだ状態で、誤って他方の接続端子１００４ａ及び１００４ｂに手を触れた場合には、接続端子１００４ａ及び１００４ｂが人体Ｍを通じてアースされた状態となって微小な電流が流れてしまい、感電するおそれが発生する。日本においては商用の交流電圧が１００Ｖであり、それ程危険性は高くないが、国によっては２４０Ｖを使用している場合もあり、特に問題となる。この問題を解決する直管形ＬＥＤ照明として、特開２０１０−１９２２２９号公報に示されるようなＬＥＤランプ及びＬＥＤランプ取付け装置があった。【０００５】
このＬＥＤランプ及びＬＥＤランプ取付け装置は、交流電流が供給される一対の接続端子と、前記一対の接続端子を介して印加される交流電圧を直流電圧に変換するＡＣ／ＤＣコンバーターと、前記直流電圧が印加され発光する光源のＬＥＤとを有するＬＥＤランプであって、前記接続端子がＬＥＤランプ取付け装置の対応する被接続端子に接続された場合、前記ＡＣ／ＤＣコンバーターへの前記交流電圧の通電をオンする一方、前記接続端子が対応する前記接続端子に接続されない場合、前記ＡＣ／ＤＣコンバーターへの前記通電をオフする安全スイッチ手段を備えることを特徴とするものである。
【発明の概要】
【発明が解決しようとする課題】
【０００６】
特開２０１０−１９２２２９号公報に示されるＬＥＤランプ及びＬＥＤランプ取付け装置においては、このスイッチ手段により、一方の口金ピンをソケットに差し込んだ状態では感電の危険性は無くなるものである。このスイッチ手段は口金ピンの間に圧縮コイルバネで出没するスイッチピンを設けたものなので、特開２０１０−１９２２２９号公報で開示されている差し込み方式には効果的である。しかしながら、ＬＥＤランプを装着するソケットは必ずしも差し込み方式とは限らず、他の方式もあり、特に半回転して装着する方式に対しては、うまく装着できないという問題が発生していた。【０００７】
本発明は、以上のような問題点に鑑みてなされたものであり、本発明のいくつかの態様によれば、交換時に発生する感電を防止するＬＥＤ照明を提供することができる。
【課題を解決するための手段】
【０００８】
（１）本発明に係るＬＥＤ照明は、
ＬＥＤと、
それぞれ第１端子及び第２端子を有する２つの口金と、
前記ＬＥＤに電力を供給する電力供給回路と、
前記口金を介して前記電力供給回路に外部電力を供給するか否かを切換えるスイッチと、
前記スイッチを制御する制御回路と、
前記口金を介して前記制御回路に供給される電流値を基準電流値以下に制限する電流制限回路と、
を含み、
前記制御回路は、
それぞれの前記口金において前記第１端子と前記第２端子との間がオープン状態かショート状態かを判定する判定処理と、
前記判定処理において、前記口金のいずれにおいても前記第１端子と前記第２端子との間がショート状態であるものと判定した場合に、前記スイッチをオフ状態からオン状態へと切換える切換え処理と、
を行う。【０００９】
本発明によれば、口金のいずれにおいても第１端子と第２端子との間がショート状態であるものと判定した場合に、スイッチをオフ状態からオン状態へと切換えるので、仮に、一方の口金のみが外部電源に接続され、他方の口金が人体に接触した場合には、電流制限回路で制限された基準電流値以下の電流しか流れない。したがって、交換時に発生する感電を防止するＬＥＤ照明を提供することができる。【００１０】
（２）このＬＥＤ照明は、
前記制御回路は、前記切換え処理においては、
前記判定処理において、前記口金のいずれかの前記第１端子と前記第２端子との間がオープン状態であるものと判定した場合に、前記スイッチをオン状態からオフ状態へと切換えてもよい。【００１１】
本発明によれば、口金のいずれかの第１端子と第２端子との間がオープン状態であるものと判定した場合に、スイッチをオン状態からオフ状態へと切換えるので、仮に、一方の口金のみが外部電源に接続され、他方の口金が人体に接触した場合には、電流制限回路で制限された基準電流値以下の電流しか流れない。したがって、交換時に発生する感電を防止するＬＥＤ照明を提供することができる。【００１２】
（３）このＬＥＤ照明は、
前記制御回路は、
出力端子から電圧信号を出力する信号出力回路と、
一端が前記出力端子と接続される抵抗と、
１次巻線の第１端子が前記抵抗の他端と接続され、２次巻線の第１端子が一方の前記口金の前記第１端子と接続され、２次巻線の第２端子が一方の前記口金の前記第２端子と接続されるトランスと、
前記抵抗と前記トランスとの接続点の電圧を検出する電圧検出回路と、
前記電圧検出回路で検出される電圧に基づいて前記判定処理を行う判定回路と、
を含んでもよい。【００１３】
これによって、判定回路と外部電源とが直流的に接続しない状態で判定処理を行うことができる。【００１４】
（４）このＬＥＤ照明は、
前記トランスの２次巻線の前記第１端子及び前記第２端子の少なくとも一方は、コンデンサーを介して前記口金の前記第１端子又は前記第２端子と接続されていてもよい。【００１５】
これによって、外部電源に含まれる直流成分の影響を抑制できる。
【図面の簡単な説明】
【００１６】
【図１】図１は、本実施形態に係るＬＥＤ照明１を説明するための回路図である。
【図２】図２は、本実施形態に係るＬＥＤ照明１の口金２１をソケット７１に接続し、口金２２を人体Ｍに接触させた状態を表す回路図である。
【図３】図３は、電力供給回路３０の構成例を表す回路図である。
【図４】図４は、信号出力回路５０１の出力信号と、Ａ／Ｄコンバーター５０３に入力される電圧の一例を示すグラフである。
【図５】図５は、従来技術に係る直管形ＬＥＤ照明１０００を説明するための図である。
【発明を実施するための形態】
【００１７】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００１８】
図１は、本実施形態に係るＬＥＤ照明１を説明するための回路図である。図２は、本実施形態に係るＬＥＤ照明１の口金２１をソケット７１に接続し、口金２２を人体Ｍに接触させた状態を表す回路図である。本実施形態においては、外形が直管形蛍光灯と同様である、直管形ＬＥＤ照明を例にとり説明するが、本発明は、例えば、外形が環形蛍光灯と同様であっても、Ｕ字形蛍光灯と同様であっても適用可能である。
【００１９】
本実施形態に係るＬＥＤ照明１は、ＬＥＤ１０と、それぞれ第１端子及び第２端子を有する２つの口金２１及び２２と、ＬＥＤ１０に電力を供給する電力供給回路３０と、口金２１及び２２を介して電力供給回路３０に外部電力を供給するか否かを切換えるスイッチ４０と、スイッチ４０を制御する制御回路５０と、口金２１及び２２を介して制御回路５０に供給される電流値を基準電流値以下に制限する電流制限回路６０と、を含み、制御回路５０は、それぞれの口金２１及び２２において第１端子と第２端子との間がオープン状態（第１端子と第２端子との間が人体Ｍを介して接続されている状態を含む。）かショート状態かを判定する判定処理と、判定処理において、口金２１及び２２のいずれにおいても第１端子と第２端子との間がショート状態であるものと判定した場合に、スイッチ４０をオフ状態からオン状態へと切換える切換え処理と、を行う。
【００２０】
ＬＥＤ１０は、電力供給回路３０から電力を供給されることによって点灯する。ＬＥＤ照明１は、ＬＥＤ１０として複数のＬＥＤを含んでいてもよい。この場合、複数のＬＥＤが直列接続されていても並列接続されていても、両者が組み合わされていてもよい。
【００２１】
口金２１は、第１端子２１１及び第２端子２１２を有する。第１端子２１１及び第２端子２１２は、ＬＥＤ照明１に外部電力が供給されるための端子として機能する。口金２２は、第１端子２２１及び第２端子２２２を有する。第１端子２２１及び第２端子２２２は、ＬＥＤ照明１に外部電力が供給されるための端子として機能する。
【００２２】
電力供給回路３０は、ＬＥＤ１０に電力を供給する。図１に示される例では、電力供給回路３０の第１端子がスイッチ４０を介して口金２１の第１端子２１１に接続され、電力供給回路３０の第２端子３２が口金２２の第１端子２２１に接続されている。また、電力供給回路３０の第３端子３３がＬＥＤ１０のアノード側（高電位側）に接続され、電力供給回路３０の第４端子３４がＬＥＤ１０のカソード側（低電位側）に接続されている。
【００２３】
図２に示される例では、電力供給回路３０には、口金２１及び２２を介して交流電源８０から交流電圧が供給される。本実施形態においては、電力供給回路３０は、交流電源８０から供給される交流電圧を直流電圧に変換してＬＥＤ１０に電力を供給する。
【００２４】
図３は、電力供給回路３０の構成例を表す回路図である。図３に示される例では、電力供給回路３０は、第１端子３１及び第２端子３２から供給される交流を直流に整流するための全波整流用のブリッジ回路などを含んで構成された整流器３０１、整流器３０１の出力から高調波を除去して出力するノイズフィルター３０２、力率を改善するための公知の力率改善回路３０３、公知のスイッチング回路とＰＷＭ（Pulse Width Modulation）回路を含んで構成され第３端子３３と第４端子３４との間にＰＷＭ出力することによってＬＥＤ１０を発光させるＬＥＤ駆動回路３０４、保護用のヒューズとサージ対策のバリスタなどを含んで構成され第１端子３１と第２端子３２との間に設けられた保護回路３０５を含んで構成されている。
【００２５】
スイッチ４０は、口金２１及び２２を介して電力供給回路３０に外部電力を供給するか否かを切換える。図１に示される例では、スイッチ４０は、口金２１の第１端子２１１と電力供給回路３０の第１端子３１との間に設けられている。スイッチ４０としては、トランジスターやサイリスター、ＭＯＳＦＥＴ（Metal-Oxide-Semiconductor Field-Effect Transistor）、ＩＧＢＴ（Insulated Gate Bipolar Transistor）、リレー回路など、種々の公知の構成を採用できる。スイッチ４０は、制御回路５０によって制御されていない場合（例えば、制御回路５０が動作するために必要な電力が制御回路５０に供給されていない場合）には、オフ状態となっている。
【００２６】
制御回路５０は、スイッチ４０を制御する。制御回路５０は、専用回路を用いて構成されていてもよいし、例えばマイクロプロセッサー（Micro-Processing Unit）がＲＯＭ（Read Only Memory）やＲＡＭ（Random Access Memory）等の記憶装置（不図示）に記憶された制御プログラムを実行することによりコンピューターとして機能し、後述される制御を行うように構成されていてもよい。
【００２７】
制御回路５０は、それぞれの口金２１及び２２において第１端子と第２端子との間がオープン状態かショート状態かを判定する判定処理を行う。
【００２８】
図２に示されるように、口金２１が接続されるソケット７１においては、第１端子７１１と第２端子７１２とが接続され、口金２２が接続されるソケット７２においては、第１端子７２１と第２端子７２２とが接続されている。したがって、口金２１がソケット７１に接続された場合には、口金２１の第１端子２１１と第２端子２１２には、交流電源８０から同電位の電圧が印加される。同様に、口金２２がソケット７２に接続された場合には、口金２２の第１端子２２１と第２端子２２２には、交流電源８０から同電位の電圧が供給される。また例えば、口金２２の第１端子２２１と第２端子２２２との間が人体Ｍを介して接続されている状態は、人体Ｍの抵抗が数１０〜数１００ｋΩあるので、オープン状態であるものとみなす。
【００２９】
したがって、制御回路５０がそれぞれの口金２１の第１端子２１１と第２端子２１２との間、及び、口金２２の第１端子２２１と第２端子２２２との間がオープン状態かショート状態かを判定する判定処理を行うことによって、ＬＥＤ照明１がソケット７１及び７２に正しく接続されたか否かを判定できる。
【００３０】
制御回路５０は、判定処理において、口金２１及び２２のいずれにおいても第１端子と第２端子との間がショート状態であるものと判定した場合に、スイッチ４０をオフ状態からオン状態へと切換える切換え処理を行う。
【００３１】
判定処理において、口金２１の第１端子２１１と第２端子２１２との間、及び、口金２２の第１端子２２１と第２端子２２２との間のいずれにおいてもショート状態であるものと判定した場合は、ＬＥＤ照明１がソケット７１及び７２に正しく接続された場合である。したがって、この場合にはスイッチ４０をオフ状態からオン状態へと切換える切換え処理を行う。
【００３２】
電流制限回路６０は、口金２１及び２２を介して制御回路５０に供給される電流値を基準電流値以下に制限する。図１に示される例では、電流制限回路６０は、第１端子６１が口金２１の第１端子２１１に接続され、第２端子６２が口金２２の第１端子２２１に接続されている。また、電流制限回路６０は、第１端子６１及び第２端子６２から供給される電力に基づいて、基準電流値以下の電流値で第３端子６３から制御回路５０に電力を供給する。基準電流値は、感電とはみなされない程度の電流値に設定される。例えば、日本の電気用品安全法の基準を満たすためには、基準電流値は１ｍＡ以下に設定される。
【００３３】
本実施形態によれば、口金２１及び２２のいずれにおいても第１端子と第２端子との間がショート状態であるものと判定した場合に、スイッチ４０をオフ状態からオン状態へと切換える。したがって、図２に示されるように、仮に、一方の口金（例えば、口金２１）のみが外部電源（交流電源８０）に接続され、他方の口金（例えば、口金２２）が人体Ｍに接触した場合には、スイッチ４０はオフ状態であるので、電流制限回路６０で制限された基準電流値以下の電流しか流れない。したがって、交換時に発生する感電を防止するＬＥＤ照明を提供することができる。
【００３４】
制御回路５０は、切換え処理においては、判定処理において口金２１の第１端子２１１と第２端子２１２との間、及び、口金２２の第１端子２２１と第２端子２２２との間のいずれかがオープン状態であるものと判定した場合に、スイッチ４０をオン状態からオフ状態へと切換えてもよい。
【００３５】
本実施形態によれば、口金２１及び２２のいずれかの第１端子と第２端子との間がオープン状態であるものと判定した場合に、スイッチ４０をオン状態からオフ状態へと切換える。したがって、図２に示されるように、仮に、一方の口金（例えば、口金２１）のみが外部電源（交流電源８０）に接続され、他方の口金（例えば、口金２２）が人体Ｍに接触した場合には、スイッチ４０はオフ状態に切換えられている、電流制限回路６０で制限された基準電流値以下の電流しか流れない。したがって、交換時に発生する感電を防止するＬＥＤ照明を提供することができる。
【００３６】
制御回路５０は、出力端子５００１から電圧信号を出力する信号出力回路５０１と、一端が出力端子５００１と接続される抵抗５１１と、１次巻線の第１端子５２１１が抵抗５１１の他端と接続され、２次巻線の第１端子５２１３が口金２１の第１端子２１１と接続され、２次巻線の第２端子５２１４が口金２１の第２端子２１２と接続されるトランス５２１と、抵抗５１１とトランスと５２１の接続点の電圧を検出する電圧検出回路５０５と、電圧検出回路５０５で検出される電圧に基づいて判定処理を行う判定回路５０７と、を含んでもよい。また、制御回路５０は、出力端子５００２から電圧信号を出力する信号出力回路５０２と、一端が出力端子５００２と接続される抵抗５１２と、１次巻線の第１端子５２２１が抵抗５２１の他端と接続され、２次巻線の第１端子５２２３が口金２２の第１端子２２１と接続され、２次巻線の第２端子５２２４が口金２２の第２端子２２２と接続されるトランス５２２と、抵抗５２１とトランスと５２２の接続点の電圧を検出する電圧検出回路５０６と、電圧検出回路５０６で検出される電圧に基づいて判定処理を行う判定回路５０７と、を含んでもよい。
【００３７】
図１及び図２に示される例では、制御回路５０のうち口金２１側の回路と、口金２２側の回路とは同様に構成されているので、口金２１側の回路を中心に説明し、口金２２側の回路の符号を括弧内に記載して詳細な説明を省略する。
【００３８】
制御回路５０は、マイコン５００を含んで構成されている。マイコン５００は、マイクロプロセッサーであり、信号出力回路５０１及び５０２、Ａ／Ｄコンバーター５０３及び５０４、電圧検出回路５０５及び５０６、判定回路５０７、切換え回路５０８として機能する部分を有している。
【００３９】
信号出力回路５０１（５０２）は、出力端子５００１（５００２）から電圧信号を出力する。電圧信号としては、例えば、矩形パルス信号であってもよいし、正弦波交流信号であってもよい。
【００４０】
抵抗５１１（５１２）は、一端が出力端子５００１（５００２）に接続され、他端がトランス５２１（５２２）の１次巻線の第１端子５２１１（５２２１）に接続されているとともに、マイコン５００の入力端子５００３（５００４）に接続されている。
【００４１】
トランス５２１（５２２）の１次巻線の第２端子は接地電位ＧＮＤに接続されている。トランス５２１（５２２）の２次巻線の第１端子５２１３（５２２３）は口金２１（２２）の第１端子２１１（２２１）に接続され、２次巻線の第２端子５２１４（５２２４）はコンデンサー５３０（５４０）を介して口金２１（２２）の第２端子２１２（２２２）に接続されている。
【００４２】
図４は、信号出力回路５０１の出力信号と、Ａ／Ｄコンバーター５０３に入力される電圧の一例を示すグラフである。横軸は時間、縦軸は電圧を表す。図４のＡは、信号出力回路５０１の出力信号、図４のＢは、口金２１の第１端子２１１と第２端子２１２との間がオープン状態である場合にＡ／Ｄコンバーター５０３に入力される電圧、図４のＣは、口金２１の第１端子２１１と第２端子２１２との間がショート状態である場合にＡ／Ｄコンバーター５０３に入力される電圧を表す。
【００４３】
図４のＡに示されるように、信号出力回路５０１は時刻ｔ０から時刻ｔ１までの期間で相対的に高電圧となる矩形パルス信号を出力する。時刻ｔ０から時刻ｔ１までの期間の長さは、判定処理の精度が確保できる範囲で短い方が好ましい。本実施形態においては、時刻ｔ０から時刻ｔ１までの期間の長さを２０ミリ秒以下の時間としている。口金２１の第１端子２１１と第２端子２１２との間がオープン状態である場合には、口金２１の第１端子２１１と第２端子２１２との間が相対的に高抵抗となるので、図４のＢに示されるように、相対的に高い電圧がＡ／Ｄコンバーター５０３に入力される。口金２１の第１端子２１１と第２端子２１２との間がショート状態である場合には、口金２１の第１端子２１１と第２端子２１２との間が相対的に低抵抗となるので、図４のＣに示されるように、相対的に低い電圧がＡ／Ｄコンバーター５０３に入力される。したがって、しきい値電圧Ｖｔｈを適宜設定することによって、口金２１の第１端子２１１と第２端子２１２との間がオープン状態であるかショート状態であるかを判定できる。同様に、口金２２の第１端子２２１と第２端子２２２との間がオープン状態であるかショート状態であるかを判定できる。
【００４４】
図１及び図２に示される例では、電圧検出回路５０５（５０６）は、入力端子５００３（５００４）及びＡ／Ｄコンバーター５０３（５０４）を介して、抵抗５１１（５１２）とトランス５２１（５２２）との接続点の電圧を検出する。判定回路５０７は、電圧検出回路５０５及び５０６によって検出された電圧に基づいて、判定処理を行う。切換え回路５０８は、判定回路５０７の判定処理の結果に基づいて、スイッチ４０を切換えるための信号である切換え信号を、出力端子５００５を介してスイッチ４０に出力する。
【００４５】
制御回路５０が図１及び図２に示されるように構成されていることによって、判定回路５０７（マイコン５００）と外部電源（交流電源８０）とが直流的に接続しない状態で判定処理を行うことができる。
【００４６】
トランス５２１（５２２）の２次巻線の第１端子５２１３（５２２３）及び第２端子５２１４（５２２４）の少なくとも一方は、コンデンサーを介して口金２１（２２）の第１端子２１１（２２１）又は第２端子２１２（２２２）と接続されていてもよい。図１及び図２に示される例では、トランス５２１（５２２）の２次巻線の第２端子５２１４（５２２４）がコンデンサー５３０（５４０）を介して口金２１（２２）の第１端子２１１（２２１）又は第２端子２１２（２２２）と接続されている。これによって、外部電源（交流電源８０）に含まれる直流成分が制御回路５０に与える影響（図１及び図２に示される例では、特にマイコン５００に与える影響）を抑制できる。
【００４７】
本実施形態において、電力供給回路３０、スイッチ４０及び制御回路５０を一枚の基板に一体構成してもよい。これによって、複数の基板に構成する場合や機械的スイッチを用いて構成する場合に比べて組立作業が容易となる。
【００４８】
なお、上述した実施形態及び変形例は一例であって、これらに限定されるわけではない。例えば各実施形態及び各変形例は、複数を適宜組み合わせることが可能である。
【００４９】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００５０】
１  ＬＥＤ照明、１０  ＬＥＤ、２１，２２  口金、３０  電力供給回路、３１  第１端子、３２  第２端子、３３  第３端子、３４  第４端子、４０  スイッチ、５０  制御回路、６０  電流制限回路、６１  第１端子、６２  第２端子、６３  第３端子、７１，７２  ソケット、８０  交流電源、２１１  第１端子、２１２  第２端子、２２１  第１端子、２２２  第２端子、３０１  整流器、３０２  ノイズフィルター、３０３  力率改善回路、３０４  ＬＥＤ駆動回路、３０５  保護回路、５００  マイコン、５０１，５０２  信号出力回路、５０３，５０４  Ａ／Ｄコンバーター、５０５，５０６  電圧検出回路、５０７  判定回路、５０８  切換え回路、５１１，５１２  抵抗、５２１，５２２  トランス、５３０，５４０  コンデンサー、７１１  第１端子、７１２  第２端子、７２１  第１端子、７２２  第２端子、１０００  ＬＥＤ照明、１００１  ＬＥＤ、１００２  電源回路、１００３  端子、１００３ａ，１００３ｂ  接続端子、１００４  端子、１００４ａ，１００４ｂ  接続端子、１００５，１００６  ソケット、１００７  交流電源、１００８  スイッチ、５００１，５００２  出力端子、５００３，５００４  入力端子、５００５  出力端子、５２１１  第１端子、５２１２  第２端子、５２１３  第１端子、５２１４  第２端子、５２２１  第１端子、５２２２  第２端子、５２２３  第１端子、５２２４  第２端子
【図１】
2012070277.tif 000003
【図２】
2012070277.tif 000004
【図３】
2012070277.tif 000005
【図４】
2012070277.tif 000006
【図５】
2012070277.tif 000007
【国際調査報告】
2012070277.tif 000008
2012070277.tif 000009
2012070277.tif 000010
2012070277.tif 000011